(57)【要約】  空気調和機の室外機は、空気が流入する吸込口が形成された筐体と、筐体の内部に配置され、吸込口を通過する空気の流れを形成する送風機と、互いに間隔を空けて配置された複数のフィンを有し、吸込口から露出するように、筐体と送風機との間に配置された熱交換器と、筐体の内部に設けられ、筐体内の空間を、熱交換器と送風機とを収納する送風機室と、圧縮機を収納する機械室とに隔てる仕切板と、を備え、複数のフィンは、仕切板とは反対側の端部に位置する端フィン部を有し、筐体を構成する側壁部には、端フィン部と対向する位置に、吸込口を形成する側縁部に沿って、少なくとも１つ以上の通風孔が形成されているものである。
2020157824.tif 000002
【特許請求の範囲】
【請求項１】
空気が流入する吸込口が形成された筐体と、
前記筐体の内部に配置され、前記吸込口を通過する空気の流れを形成する送風機と、
互いに間隔を空けて配置された複数のフィンを有し、前記吸込口から露出するように、前記筐体と前記送風機との間に配置された熱交換器と、
前記筐体の内部に設けられ、前記筐体内の空間を、前記熱交換器と前記送風機とを収納する送風機室と、圧縮機を収納する機械室とに隔てる仕切板と、
を備え、
前記複数のフィンは、
前記仕切板とは反対側の端部に位置する端フィン部を有し、
前記筐体を構成する側壁部には、
前記端フィン部と対向する位置に、前記吸込口を形成する側縁部に沿って、少なくとも１つ以上の通風孔が形成されている空気調和機の室外機。
【請求項２】
前記端フィン部は、
前記仕切板とは反対側の最端部に配置された最端フィンを有し、
前記側壁部は、
前記側壁部に対して垂直方向に見た場合に、前記側縁部と前記最端フィンとの間の壁部を構成する重なり領域部を有し、
前記通風孔は、
形成された孔の少なくとも一部が前記重なり領域部に位置している請求項１に記載の空気調和機の室外機。
【請求項３】
前記側壁部に対して垂直方向に見た場合に、
前記通風孔内には、前記最端フィンが配置されている請求項２に記載の空気調和機の室外機。
【請求項４】
前記側壁部に対して垂直方向に見た場合に、
前記通風孔内には、前記複数のフィンのみが配置されている請求項２に記載の空気調和機の室外機。
【請求項５】
前記熱交換器は、
前記熱交換器及び前記送風機が配置されるベースに対して垂直方向に見た場合に、Ｌ字形状に形成されており、
前記通風孔が形成された前記側壁部は、
前記仕切板とは反対側の、前記送風機室の側面側の壁部を構成している請求項１〜４のいずれか１項に記載の空気調和機の室外機。
【請求項６】
前記吸込口は、
前記側壁部において、上下方向に複数形成されている請求項５に記載の空気調和機の室外機。
【請求項７】
前記通風孔は、
複数の前記吸込口の前記側縁部に沿って少なくとも１つ以上形成されている請求項６に記載の空気調和機の室外機。
【請求項８】
前記熱交換器は、
前記熱交換器及び前記送風機が配置されるベースに対して垂直方向に見た場合に、Ｉ字形状に形成されており、
前記通風孔が形成された前記側壁部は、
熱交換した空気が吹き出される吹出口が形成された前面側の壁部と対向し、前記送風機室の背面側の壁部を構成している請求項１〜４のいずれか１項に記載の空気調和機の室外機。
【請求項９】
前記側縁部は、
前記複数のフィン側に折り曲げられている請求項８に記載の空気調和機の室外機。
【請求項１０】
前記通風孔は、
丸形状に形成されている請求項１〜９のいずれか１項に記載の空気調和機の室外機。
【請求項１１】
前記通風孔は、
角丸長方形に形成されている請求項１〜９のいずれか１項に記載の空気調和機の室外機。
【請求項１２】
前記通風孔は、
長丸形状に形成されている請求項１〜９のいずれか１項に記載の空気調和機の室外機。
【発明の詳細な説明】
【技術分野】
【０００１】
本発明は、空気調和機の室外機に関するものである。
【背景技術】
【０００２】
従来、空気調和機の室外機は、筐体内部に熱交換器を有すると共に、筐体には、熱交換器を露出させ、熱交換器を流れる冷媒と熱交換するように筐体外から筐体内に流入する空気を通過させる吸込口が形成されている（例えば、特許文献１参照）。
【先行技術文献】
【特許文献】
【０００３】
【特許文献１】特開２０１５−９８９９５号公報
【発明の概要】
【発明が解決しようとする課題】
【０００４】
特許文献１の室外機は、熱交換器のフィンの並び方向における端部において、吸込口から筐体内に入った空気の一部が、熱交換器のフィンとフィンとの間を通過せず、筐体と熱交換器との隙間をフィンの並び方向に沿って流れる。そのため、特許文献１の室外機は、筐体と熱交換器との隙間を空気が通過するときにフィンの並び方向に空気が流れることでフィンの端部によって空気の流れに乱れが生じ、あるいは、空気の渦が生じ、空気によってピィーという高い音の騒音が発生する恐れがある。特に、近年、熱交換器の熱交換の能力を上げるために、フィンのピッチをつめてフィン同士の間隔が従来よりも狭い熱交換器が開発されている。このような、熱交換器の場合、従来よりもフィン同士の間を空気が流れにくくなり、フィン同士の間よりも間隔が広く通風抵抗の少ない筐体と熱交換器との隙間を通ってフィンの並び方向に空気が流れやすくなるため、空気による騒音がさらに発生し易くなる。【０００５】
本発明は、上記のような課題を解決するものであり、吸込口から筐体内に流入する空気によって騒音が発生しない空気調和機の室外機を提供するものである。
【課題を解決するための手段】
【０００６】
本発明の空気調和機の室外機は、空気が流入する吸込口が形成された筐体と、筐体の内部に配置され、吸込口を通過する空気の流れを形成する送風機と、互いに間隔を空けて配置された複数のフィンを有し、吸込口から露出するように、筐体と送風機との間に配置された熱交換器と、筐体の内部に設けられ、筐体内の空間を、熱交換器と送風機とを収納する送風機室と、圧縮機を収納する機械室とに隔てる仕切板と、を備え、複数のフィンは、仕切板とは反対側の端部に位置する端フィン部を有し、筐体を構成する側壁部には、端フィン部と対向する位置に、吸込口を形成する側縁部に沿って、少なくとも１つ以上の通風孔が形成されているものである。
【発明の効果】
【０００７】
本発明の空気調和機の室外機は、通風孔を通って流入する吸込空気が、複数のフィン同士の間の空間に沿ってまっすぐに流れる。そのため、吸込口から筐体内に流入する吸込空気は、通風孔と比較して通風抵抗の高い吸込口の側縁部とフィンとの間に流入しにくい。その結果、吸込空気は、筐体と熱交換器との隙間をフィンの並び方向に沿って流れることが抑制され、空気の流れの乱れ、あるいは、空気の渦の発生が抑制されるため、室外機は、吸込口から筐体内に流入する空気による騒音を発生させない。さらに、吸込空気が、側縁部とフィンとの間に流入したとしても、フィンが並ぶ方向に沿って流れる吸込空気は、通風孔を通過してまっすぐに流れる吸込空気によって、フィンが並ぶ方向に沿う流れが遮断される。その結果、吸込空気は、筐体と熱交換器との隙間をフィンの並び方向に沿って流れることが抑制され、空気の流れの乱れ、あるいは、空気の渦の発生が抑制されるため、室外機は、吸込口から筐体内に流入する空気による騒音を発生させない。
【図面の簡単な説明】
【０００８】
【図１】本発明の実施の形態１に係る室外機の正面側斜視図である。
【図２】本発明の実施の形態１に係る室外機の背面側斜視図である。
【図３】本発明の実施の形態１に係る室外機の一部を分解した分解斜視図である。
【図４】本発明の実施の形態１に係る室外機の側面図である。
【図５】本発明の実施の形態１に係る室外機の天面パネルを取り外した上面図である。
【図６】本発明の実施の形態１に係る室外機の熱交換器の斜視図である。
【図７】比較例に係る室外機に配置された熱交換器の端部を示す上面概念図である。
【図８】本発明の実施の形態１に係る室外機に配置された熱交換器の端部を示す上面概念図である。
【図９】図８の通風孔の形成位置について説明する熱交換器の端部を示す上面概念図である。
【図１０】図９の通風孔の概念図である。
【図１１】図９の他の通風孔の概念図である。
【図１２】本発明の実施の形態２に係る室外機の背面側斜視図である。
【図１３】本発明の実施の形態２に係る室外機の天面パネルを取り外した上面図である。
【図１４】本発明の実施の形態２に係る室外機の熱交換器の斜視図である。
【図１５】比較例に係る室外機に配置された熱交換器の端部を示す上面概念図である。
【図１６】本発明の実施の形態２に係る室外機に配置された熱交換器の端部を示す上面概念図である。
【図１７】本発明の実施の形態２に係る室外機の通風孔の形状を示す背面斜視図である。
【図１８】本発明の実施の形態２に係る室外機の通風孔の変形例１を示す背面斜視図である。
【図１９】本発明の実施の形態２に係る室外機の通風孔の変形例２を示す背面斜視図である。
【図２０】図１６の通風孔の形成位置について説明する熱交換器の端部を示す上面概念図である。
【図２１】図２０の通風孔の概念図である。
【図２２】図２０の他の通風孔の概念図である。
【発明を実施するための形態】
【０００９】
以下、本発明における空気調和機の室外機１００及び室外機３００について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。また、理解を容易にするために方向あるいは位置を表す用語（例えば「上」、「下」、「右」、「左」、「前」、「後」等）を適宜用いる。しかし、これらの表記は、説明の便宜上、そのように記載しているだけであって、装置あるいは部品の配置及び向きを限定するものではない。
【００１０】
実施の形態１．
［室外機１００の構成］
図１は、本発明の実施の形態１に係る室外機１００の正面側斜視図である。図２は、本発明の実施の形態１に係る室外機１００の背面側斜視図である。図３は、本発明の実施の形態１に係る室外機１００の一部を分解した分解斜視図である。図１〜図３を用いて、空気調和機の室外機１００について説明する。図１を含む以下の図面に示すＸ軸は、室外機１００の左右方向を示し、Ｙ軸は室外機１００の前後方向を示し、Ｚ軸は室外機１００の上下方向を示すものである。より詳細には、室外機１００を正面から見たときＸ１側を左側、Ｘ２側を右側、Ｙ軸においてＹ１側を前側、Ｙ２側を後側、Ｚ軸においてＺ１側を上側、Ｚ２側を下側として室外機１００を説明する。なお、室外機１００を正面から見たときとは、筐体５０内を流れる空気の流れ方向において、筐体５０から空気が吹き出される下流側から室外機１００を見た場合の状態をいう。また、明細書中における各構成部材同士の位置関係（例えば、上下関係等）は、原則として、室外機１００を使用可能な状態に設置したときのものである。
【００１１】
（室外機１００の外郭）
室外機１００は、図１に示すように、略直方体状に構成された筐体５０を有する。室外機１００の筐体５０は、板金製であり、室外機１００の外郭を構成する。室外機１００の筐体５０は、外郭パネル１と、側面パネル２と、天面パネル３と、ベース４とを有する。外郭パネル１及び側面パネル２の上部にはフランジが設けられており、このフランジに天面パネル３が取り付けられる。同様に、ベース４にもフランジが設けられており、このフランジに外郭パネル１及び側面パネル２がボルト等により固定され、外郭パネル１及び側面パネル２は、ベース４上に組み付けられる。
【００１２】
外郭パネル１は、板金パネルである。外郭パネル１は、正面部１１と側面部１２と背面部１３とが一体に形成された形状を有している。正面部１１は、筐体５０の前面側の側壁部を構成し、側面部１２は、筐体５０の側面側の側壁部を構成し、背面部１３は、筐体５０の背面側の側壁部の一部を構成する。外郭パネル１は、横長の正面部１１と、縦長の側面部１２とによって、室外機１００の上方、すなわち天面パネル３の配置側から見てＬ字形状となるように折り曲げられて形成されている。なお、外郭パネル１は、正面部１１と側面部１２とが一体に形成されているが、外郭パネル１は当該構成に限定されるものではなく、外郭パネル１は、正面部１１と側面部１２とを別体として、複数の板金パネルで構成してもよい。
【００１３】
正面部１１は、空気が吹き出される側の筐体５０の側壁を構成する。正面部１１には、円形状の吹出口８が形成されている。送風機５によって、後述する背面開口部７及び側面開口部１ａから筐体５０内に吸い込まれた空気は、吹出口８から筐体５０の外に吹き出される。また、外郭パネル１の正面部１１には、吹出口８を覆って送風機５の後述するプロペラファン５ｂを保護する矩形形状のファンガード６が取り付けられている。
【００１４】
図４は、本発明の実施の形態１に係る室外機１００の側面図である。図４を用いて側面部１２について説明する。側面部１２は、筐体５０の前後方向（Ｙ軸方向）に延びる側壁を構成する。側面部１２には、室外空気を室外機１００の内部に取り込むための側面開口部１ａが形成されている。図４に示すように、吸込口である側面開口部１ａは、側面部１２において、上下方向に複数形成されている。なお、側面部１２に形成される側面開口部１ａは、１つでもよく、複数でもよい。側面開口部１ａは、筐体５０に形成された空気の吸込口であり、送風機５の作動によって、筐体５０の外部から内部に空気が流入する。また、側面部１２には、通風孔１ｃが形成されている。通風孔１ｃは、複数の側面開口部１ａの側縁部１２ａに沿って側面部１２に少なくとも１つ以上形成されている。通風孔１ｃが形成された側面部１２は、熱交換器１０を間において、仕切板１７と対向する位置に配置され、仕切板１７とは反対側の、送風機室３１の側面側の壁部を構成している。なお、側面部１２及び通風孔１ｃの詳細については後述する。
【００１５】
図１から図３に戻り、背面部１３は、筐体５０の背面側の一部を構成し、熱交換器１０の背面側の一部覆う。背面部１３は、筐体５０の前後方向（Ｙ軸方向）において、正面部１１の一部と対向する位置に配置される。外郭パネル１は、正面部１１と側面部１２と背面部１３とが一体に形成された形状を有している。外郭パネル１は、側面部１２と背面部１３とによって、室外機１００の上方、すなわち天面パネル３の配置側から見てＬ字形状となるように折り曲げられて形成されている。そして、背面部１３は、側面部１２から熱交換器１０の背面側の一部を覆う位置まで延びるように形成されている。なお、外郭パネル１は、側面部１２と背面部１３とが折り曲げられて一体に形成されているが、外郭パネル１は、当該構成に限定されるものではなく、側面部１２と背面部１３とを別体として、複数の板金パネルで構成してもよい。
【００１６】
背面部１３が、筐体５０の背面側の一部を構成し、熱交換器１０の一部を覆うことで、筐体５０の背面側には熱交換器１０を露出するための背面開口部７が形成されている。より詳細には、背面開口部７は、背面部１３、天面パネル３、側面パネル２及びベース４のそれぞれの縁部によって形成されている。背面開口部７は、筐体５０に形成された空気の吸込口であり、送風機５の作動によって、背面開口部７を介して筐体５０の外部から内部に空気が流入する。なお、熱交換器１０の通風性を向上させるために、背面開口部７の幅は背面部１３の幅よりも広く形成されている。
【００１７】
側面パネル２は、天面パネル３の配置側から見てＬ字形状となるように折り曲げられた板金パネルである。側面パネル２は、側面部１２に対面する縦長の第２側面部２ａと、正面部１１の一部と対面する第２背面部２ｂとを有している。第２側面部２ａは、筐体５０の側面側の側壁部を構成し、第２背面部２ｂは、筐体５０の背面側の側壁部の一部を構成する。第２背面部２ｂは、背面部１３と共に筐体５０の背面側の側壁部を構成する。なお、筐体５０は、第２背面部２ｂと背面部１３とが別体で構成されているが、第２背面部２ｂと背面部１３とが一体に形成されて筐体５０の背面側の側壁部が構成されてもよい。
【００１８】
第２側面部２ａには、外部電源と接続したプラグ及び冷媒配管を、内部に引き込むための複数の開口部が形成されている（図示は省略）。また、側面パネル２は、第２側面部２ａと第２背面部２ｂとが一体に形成されているが、側面パネル２は当該構成に限定されるものではなく、第２側面部２ａと第２背面部２ｂとを別体として、２つの板金パネルで構成してもよい。
【００１９】
天面パネル３は、筐体５０の天板を構成し、室外機１００の上部を覆う板金パネルである。天面パネル３は、外郭パネル１及び側面パネル２の上縁部に取り付けられている。
【００２０】
ベース４は、筐体５０において天面パネル３と対向し、筐体５０の底板を構成する。ベース４には、外郭パネル１及び側面パネル２が取り付けられ、ベース４の下面部には、複数の脚部４ａが設けられている。脚部４ａは、室外機１００を設置場所に固定するための土台となる。
【００２１】
（室外機１００の内部構成）
図５は、本発明の実施の形態１に係る室外機１００の天面パネル３を取り外した上面図である。次に、図３及び図５を用いて、空気調和機の室外機１００の内部構成について説明する。室外機１００は、筐体５０の内部に、仕切板１７と、熱交換器１０と、送風機５と、モータ支持部材１４と、圧縮機１５と、を有する。
【００２２】
仕切板１７は、筐体５０の内部に設けられ、室外機１００の筐体５０内の空間を、送風機室３１と機械室３２とに隔てる仕切壁である。仕切板１７は、板状の部材であり、例えば、板金等を折曲して形成されている。仕切板１７は、筐体５０内においてベース４上に配置され、ベース４から上方向（Ｚ軸方向）に延びるように設けられていると共に、ベース４の前後方向（Ｙ軸方向）に延びるように設けられている。仕切板１７には、電気品箱（図示は省略）が取り付けられる。
【００２３】
送風機室３１は、外郭パネル１、天面パネル３、ベース４及び仕切板１７によって取り囲まれた空間である。送風機室３１は、室外機１００の外部から背面開口部７及び側面開口部１ａ等の吸込口を介して室外空気を取り込み、室外機１００の内部の空気を吹出口８を介して室外機１００の外部へ排出できるように構成されている。機械室３２は、外郭パネル１の正面部１１、側面パネル２、天面パネル３、ベース４、及び仕切板１７によって取り囲まれた空間であり、室外機１００の外部からの塵埃又は水の侵入を回避できる構造となっている。筐体５０内の送風機室３１側の空間には、熱交換器１０と、熱交換器１０に対向するように配置された送風機５とが収納されており、筐体５０内の機械室３２側の空間には、圧縮機１５及び冷媒配管１６が収納されている。この熱交換器１０及び圧縮機１５は、ベース４上に設置されている。この冷媒配管１６は、冷凍サイクル回路を構成する構成要素を接続する。
【００２４】
図６は、本発明の実施の形態１に係る室外機１００の熱交換器１０の斜視図である。図５及び図６を参照して熱交換器１０について説明する。熱交換器１０は、内部を流れる冷媒と外気との熱交換を行うものであって、暖房運転時には蒸発器として機能し、冷房運転時には凝縮器として機能する。熱交換器１０は、側面領域１０ｅと背面領域１０ｆと曲面領域１０ｇとを有し、ベース４に対して垂直方向に見た場合に、側面領域１０ｅと背面領域１０ｆと曲面領域１０ｇとによってＬ字形状に形成されている。熱交換器１０は、Ｌ字状に折り曲げて構成されることで後述するＩ字状の熱交換器１０Ａよりもフィン１０ａの搭載枚数を多くすることができ、Ｉ字状の熱交換器１０Ａよりも熱変換量を大きくすることができる。
【００２５】
熱交換器１０は、筐体５０と送風機５との間に配置されている。また、熱交換器１０は、図５に示すように、室外機１００の内部において背面領域１０ｆが背面開口部７に面して配置されており、背面領域１０ｆが背面開口部７を介して外部に露出している。また、熱交換器１０は、図５に示すように、室外機１００の内部において側面領域１０ｅが側面開口部１ａに面して配置されており、側面領域１０ｅが側面開口部１ａを介して外部に露出している。すなわち、熱交換器１０は、吸込口から露出するように配置されている。なお、図５及び図６では、熱交換器１０がＬ字状に形成された場合について例示しているが、熱交換器１０は、ベース４に対して垂直方向に見た場合に、両端に曲面領域１０ｇ及び側面領域１０ｅを備えたＵ字状に形成されたものでもよい。
【００２６】
熱交換器１０は、例えば、フィンアンドチューブ型熱交換器として構成でき、冷媒を通過させる複数の伝熱管１０ｃと、伝熱管１０ｃを流れる冷媒と外気との間の伝熱面積を大きくするための複数のフィン１０ａとを備えている。伝熱管１０ｃは、複数のフィン１０ａを貫いている。この伝熱管１０ｃを冷媒が通り、伝熱管１０ｃ内を通る冷媒が放熱し、もしくは、伝熱管１０ｃ内を通る冷媒が吸熱することで、空気調和機の冷房運転もしくは暖房運転が実施される。
【００２７】
熱交換器１０は、互いに間隔を空けて配置された短冊状の複数のフィン１０ａが背面開口部７及び側面開口部１ａと直角をなして水平方向に並列して配置されている。複数のフィン１０ａが並ぶ方向において、熱交換器１０の最も機械室３２側に位置する端部には留め板１０ｂが配置されている。留め板１０ｂは、熱交換器１０を室外機１００の内部に取り付ける際に、ボルトによって仕切板１７及び側面パネル２に固定されて取り付けられる。また、複数のフィン１０ａは、仕切板１７とは反対側の端部に位置する端フィン部１０ａ１を有する。端フィン部１０ａ１は、仕切板１７とは反対側の端部に配置された複数のフィン１０ａから構成されている。また、端フィン部１０ａ１は、仕切板１７とは反対側の最端部に配置された最端フィン１０ａ２を有する。
【００２８】
送風機５は、筐体５０の内部に配置され、側面開口部１ａ及び背面開口部７を通過し、筐体５０内を通過する空気の流れを形成する。送風機５は、図５に示すように、モータ５ａとプロペラファン５ｂとを備えた送風手段であり、熱交換器１０における熱交換を効率的に行うための空気循環を生成する。送風機５は、図５に示すように、筐体５０内において、熱交換器１０の前方（Ｙ１側）に配置されている。送風機５は、モータ５ａが、モータ支持部材１４に取り付けられて固定される。送風機５は、熱交換器１０とプロペラファン５ｂとの間を負圧にして、筐体５０の背面側（Ｙ２側）から筐体５０の内部に外気を導入し、室外機１００の内部に導入された外気を室外機１００の前面側（Ｙ１側）から筐体５０外に向かって排出する。また、送風機５は、熱交換器１０とプロペラファン５ｂとの間を負圧にして、筐体５０の側面側（Ｘ１側）から筐体５０の内部に外気を導入し、室外機１００の内部に導入された外気を室外機１００の前面側（Ｙ１側）から筐体５０外に向かって排出する。
【００２９】
モータ支持部材１４は、筐体５０の内部において、ベース４と天面パネル３との間で上下方向（Ｚ軸方向）に延びるように設けられた柱状の部材である。モータ支持部材１４は上下方向（Ｚ軸方向）の略中央部分に送風機５のモータ５ａが支持されて固定される。モータ支持部材１４は、ネジ締結等によりベース４に固定される。
【００３０】
圧縮機１５は、低温低圧の状態の冷媒を吸入し、吸入した冷媒を圧縮して高温高圧の状態の冷媒にして吐出する機器である。圧縮機１５は、例えば、ロータリー式、スクロール式又はベーン式等の圧縮機である。圧縮機１５は、例えば容量を制御できるインバータを備えた圧縮機でもよい。
【００３１】
（側面部１２及び通風孔１ｃの詳細な構成）
図７は、比較例に係る室外機２００に配置された熱交換器１０の端部１０ｔを示す上面概念図である。図８は、本発明の実施の形態１に係る室外機１００に配置された熱交換器１０の端部１０ｔを示す上面概念図である。図７及び図８は、図５のＡ部の位置の拡大図である。図７及び図８を参照して、比較例の室外機２００と、本発明の実施の形態１に係る室外機１００との構成の共通点と相違点とについて説明する。なお、熱交換器１０の端部１０ｔは、フィン１０ａが並ぶ方向において、機械室３２とは反対側の端部である。すなわち、熱交換器１０の端部１０ｔは、反対側の端部の配置と比較して側面部１２に近い位置に配置されている。
【００３２】
まず、室外機１００及び室外機２００の構成の共通点について説明する。熱交換器１０は、室外機１００及び室外機２００を組立するときの部品の干渉等の組立上の都合から側面部１２等の外郭部品との間に隙間を設けて配置されている。上述したように、側面部１２には、側面開口部１ａが形成されている。図７及び図８に示すように、側面開口部１ａを形成する側面部１２の側縁部１２ａは、熱交換器１０の側面領域１０ｅ側に対して折り曲げられており、側面部１２と熱交換器１０の側面領域１０ｅとの隙間が狭くなっている。具体的には、側面部１２と側面領域１０ｅとの隙間は間隔Ｄ１だけ離れて配置されているに対し、側縁部１２ａと側面領域１０ｅとの間隔Ｄ１０は間隔Ｄ１よりも狭くなっている（Ｄ１＞Ｄ１０）。この側縁部１２ａの間隔Ｄ１０は、例えば５〜１０ｍｍになるように側面部１２の縁部を折り曲げて形成されている。なお、側縁部１２ａは、例えば、バーリング加工によって形成される。
【００３３】
このように、室外機１００及び室外機２００は、側縁部１２ａと熱交換器１０との隙間が狭くなるように、側面開口部１ａを形成する側面部１２の側縁部１２ａがフィン１０ａ側に折り曲げられている。そのため、室外機１００及び室外機２００は、側縁部１２ａと熱交換器１０との隙間に指等が入るのを防止することができ、安全性を確保することができる。さらに、室外機１００及び室外機２００は、側縁部１２ａが内側に折り曲げられて外側に出ないように形成されているため、側縁部１２ａにバリ等が発生していても樹脂等で被覆する必要がなく安全性を確保することができる。なお、側縁部１２ａは、Ｌ字状に折り返されている場合について例示しているが、側面部１２と接するように折り返されたものでもよい。また、側縁部１２ａは、折り返し部分が側面部１２に接触せず湾曲したＵ字状に形成されたものでもよい。また、側縁部１２ａは、折り曲げられた形状に限定されるものではなく、折り曲げられていない形状でもよい。この場合、側縁部１２ａの折り曲げ部分がないため、側面部１２と側面領域１０ｅとの間に形成された間隔Ｄ１は、例えば、上記の安全性を考慮して、側縁部１２ａが折り曲げられた場合と比較して小さくなる。
【００３４】
次に、室外機１００及び室外機２００の構成の相違点について説明する。室外機１００は、側面部１２において、側面開口部１ａと正面部１１との間に通風孔１ｃが形成されている点で、室外機２００と異なる。室外機１００は、筐体５０を構成する側面部１２において、端フィン部１０ａ１と対向する位置に、通風孔１ｃが形成されている。通風孔１ｃは、図４に示すように、側面開口部１ａを形成する側縁部１２ａに沿って、側面部１２に少なくとも１つ以上形成されている。
【００３５】
通風孔１ｃは、側縁部１２ａと正面部１１との間に形成されている。また、通風孔１ｃは、側面部１２に対する垂直方向において、側面部１２と熱交換器１０の側面領域１０ｅとが重なる側面部１２の重なり領域部１ｂに形成されている。より詳細には、側面部１２は、側面部１２に対して垂直方向に見た場合に、側縁部１２ａと最端フィン１０ａ２との間の壁部を構成する重なり領域部１ｂを有する。そして、通風孔１ｃは、形成された孔の少なくとも一部が重なり領域部１ｂに位置している。側面部１２の重なり領域部１ｂは、側面部１２において、熱交換器１０の側面領域１０ｅを構成する端フィン部１０ａ１と対向する部分である。通風孔１ｃは、全てが重なり領域部１ｂに形成されてもよいが、一部が重なり領域部１ｂに形成されていることが望ましい。換言すると、通風孔１ｃは、側面部１２に対して垂直方向に見た場合に、通風孔１ｃ内に、最も外側に配置されるフィン１０ａが配置されるように形成されていることが望ましい。
【００３６】
通風孔１ｃは、側面部１２に形成された貫通孔である。通風孔１ｃの孔形状は、図４に示すように、長丸形状に形成されている。しかし、通風孔１ｃは、貫通孔であればよく、通風孔１ｃの孔形状は、例えば、丸形状、楕円形、卵形、長円形、角丸長方形、矩形状、多角形状等、他の形状であってもよい。側面部１２に形成される通風孔１ｃは、１つでもよく、複数でもよい。なお、通風孔１ｃの径の大きさ及び孔の面積、あるいは、通風孔１ｃの孔の数は、側面部１２とフィン１０ａとの間の距離との関係で決定されるものであり、設計事項である。通風孔１ｃは、筐体５０に形成された空気の吸込口であり、送風機５の作動によって、筐体５０の外部から内部に空気が流入する。
【００３７】
［室外機１００の動作］
まず、本発明の実施の形態１に係る室外機１００と比較例に係る室外機２００との共通する動作について説明する。室外機１００及び室外機２００の駆動状態では、熱交換器１０内を流れる冷媒と室外空気との間の熱交換の効率を高めるために、送風機５が駆動している。送風機５は、熱交換器１０とプロペラファン５ｂとの間を負圧にして、筐体５０の背面側及び側面側から筐体５０の内部に外気２７を導入する。そして、送風機５は、筐体５０の内部に導入されて熱交換が行われた空気を、吹出空気２８として筐体５０の前面側（Ｙ１側）に形成された吹出口８から筐体５０外に向かって排出させる。この際、室外機１００及び室外機２００の筐体５０には、背面開口部７及び側面開口部１ａを介して吸込空気２７ａが流入する。そして、筐体５０内に流入した吸込空気２７ａは、熱交換器１０のフィン１０ａの間を流れることで、伝熱管１０ｃの内部を流れる冷媒との間において熱交換が行われる。
【００３８】
次に、図７を用いて比較例に係る室外機２００の動作について説明する。側面開口部１ａ等の吸込口から流入した外気２７の内、一部の吸込空気２７ｂが、フィン１０ａ同士の間を通過せずに、側縁部１２ａと熱交換器１０の側面領域１０ｅとの間に流入する。そして、側縁部１２ａと側面領域１０ｅとの間に流入した吸込空気２７ｂは、フィン１０ａが並ぶ方向に沿って、側面部１２と側面領域１０ｅとの間を通る。この際、吸込空気２７ｂは、フィン１０ａの並び方向に空気が流れることでフィン１０ａの端部によって空気の流れに乱れが生じ、あるいは、空気の渦を生じさせて、ピィーという高い音の騒音を発生させる。
【００３９】
また、室外機２００は、重なり領域部１ｂと対向する位置に配置されている端フィン部１０ａ１において、フィン１０ａの並び方向に吸込空気２７ｂが流れ、吸込空気２７ｂは最端フィン１０ａ２の外側を回り込む。そのため、フィン１０ａ同士の間に吸込空気２７ａが流れにくく、室外機２００は、熱交換器１０の端部１０ｔでは、熱交換能力が発揮されにくい恐れがある。
【００４０】
これに対し、本発明の実施の形態１に係る室外機１００は、側面部１２の重なり領域部１ｂに通風孔１ｃを形成したことにより通風孔１ｃからも筐体５０内に吸込空気２７ａが流入する。上述したように、側面部１２に通風孔１ｃが形成されていない場合には、側縁部１２ａと側面領域１０ｅとの間に流入した吸込空気２７ｂが、側面部１２と側面領域１０ｅとの間を通り、騒音を発生させる。室外機１００は、側面部１２に通風孔１ｃを形成したことにより、フィン１０ａが並ぶ方向に対して垂直方向に吸込空気２７ａが流れる。したがって、吸込空気２７ａは、側面領域１０ｅを構成するフィン１０ａ同士の間の空間に沿ってまっすぐに流れるため、通風抵抗が少なく、熱交換器１０を通過し易くなる。そのため、室外機１００において、通風孔１ｃを通過する吸込空気２７ａは、空気の乱れ、あるいは、空気の渦ができにくく空気による騒音を発生させない。
【００４１】
そして、吸込空気２７ａは、側面領域１０ｅを構成するフィン１０ａ同士の間の空間に沿って通風抵抗が少なくまっすぐに流れるため、外気２７は、通風抵抗の高い側縁部１２ａと側面領域１０ｅとの間に流入しにくい。そのため、室外機１００は、側縁部１２ａと側面領域１０ｅとの間に吸込空気２７ｂが流れにくく、空気による騒音が発生しない。さらに、例え外気２７が、側縁部１２ａと側面領域１０ｅとの間に流入したとしてもフィン１０ａが並ぶ方向に沿って流れる吸込空気２７ｂは、通風抵抗が少なくまっすぐに流れる吸込空気２７ａによって、フィン１０ａが並ぶ方向に沿う流れが遮断される。そのため、室外機１００は、側縁部１２ａと側面領域１０ｅとの間に吸込空気２７ｂが流れにくく、空気による騒音が発生しない。また、仮に側縁部１２ａを通過した吸込空気２７ｂが、空気の渦を発生させたとしても、通風孔１ｃを通過してまっすぐに流れる吸込空気２７ａによって、発生した渦が打ち消される。
【００４２】
また、上述した室外機２００において、側縁部１２ａと側面領域１０ｅとの間に流入した吸込空気２７ｂは、フィン１０ａが並ぶ方向に沿って、側面部１２と側面領域１０ｅとの間を通るため、熱交換器１０のフィン１０ａ間の間を通過しにくい。しかし、室外機１００は、吸込空気２７ａが、側面領域１０ｅを構成するフィン１０ａ同士の間の空間に沿ってまっすぐに流れるため、通風抵抗が少なく、熱交換器１０を通過し易くなる。そのため、室外機１００は、熱交換器１０の端部１０ｔにおける熱交換能力を比較例である室外機２００よりも向上させることができる。
【００４３】
図９は、図８の通風孔１ｃの形成位置について説明する熱交換器１０の端部１０ｔを示す上面概念図である。図１０は、図９の通風孔１ｃ１の概念図である。図１１は、図９の他の通風孔１ｃ２の概念図である。図９〜図１１を参照して、側面部１２における通風孔１ｃの望ましい形成位置について説明する。側面部１２における通風孔１ｃの形成位置は、通風孔１ｃ１、通風孔１ｃ２及び通風孔１ｃ３の３態様が考えられる。
【００４４】
通風孔１ｃ１は、全てが重なり領域部１ｂに形成されている貫通孔である。したがって、通風孔１ｃ１は、孔の内周縁に囲まれた全ての空間が熱交換器１０の側面領域１０ｅと対向する。すなわち、図１０に示すように、側面部１２に対して垂直方向に見た場合に、通風孔１ｃ１内には、複数のフィン１０ａのみが配置されている。そのため、通風孔１ｃ１を通過する吸込空気２７ａは、熱交換器１０の側面領域１０ｅを通過する。その結果、通風孔１ｃ１が形成された室外機１００は、空気によって発生する騒音を抑制することができると共に、熱交換器１０の端部１０ｔにおける熱交換能力を比較例である室外機２００よりも向上させることができる。
【００４５】
また、通風孔１ｃ１が形成された室外機１００は、熱交換器１０を通過する吸込空気２７ａの量が、通風孔１ｃ２が形成された室外機１００よりも多いので、通風孔１ｃ２が形成された室外機１００よりも熱交換器１０の端部１０ｔにおける熱交換能力が向上する。
【００４６】
通風孔１ｃ２は、少なくとも一部が重なり領域部１ｂに形成されている貫通孔である。したがって、通風孔１ｃ２は、孔の内周縁に囲まれた空間の一部が熱交換器１０の側面領域１０ｅと対向する。すなわち、図１１に示すように、側面部１２に対して垂直方向に見た場合に、通風孔１ｃ２内には、最端フィン１０ａ２が配置されている。そのため、通風孔１ｃ２を通過する吸込空気２７ａは、一部が熱交換器１０の側面領域１０ｅを通過し、一部が熱交換器１０の側面領域１０ｅを通過せずに送風機室３１内に流入する。その結果、通風孔１ｃ２は、空気によって発生する騒音を抑制することができると共に、熱交換器１０の端部１０ｔにおける熱交換能力を比較例である室外機２００よりも向上させることができる。
【００４７】
また、通風孔１ｃ２が形成された室外機１００は、熱交換器１０を通過しない吸込空気２７ａの量が、通風孔１ｃ１が形成された室外機１００よりも多い。そのため、通風孔１ｃ２を通過する吸込空気２７ａの量は、通風孔１ｃ１を通過する吸込空気２７ａの量よりも多くなる。そのため、通風孔１ｃ２が形成された室外機１００は、通風孔１ｃ１が形成された室外機１００よりも側縁部１２ａと側面領域１０ｅとの間に吸込空気２７ｂが流れにくく、空気による騒音が更に発生しにくい。なお、通風孔１ｃ２において、重なり領域部１ｂと重なり領域部１ｂ以外の部分とにおける孔の面積の配分は、側面部１２とフィン１０ａとの間に形成される隙間との関係で決定されるものであり、設計事項である。
【００４８】
通風孔１ｃ３は、室外機１００の前後方向（Ｙ軸方向）における側縁部１２ａと正面部１１との間において、重なり領域部１ｂ以外の領域に形成されている。したがって、通風孔１ｃ３は、孔の内周縁に囲まれた全ての空間が熱交換器１０の側面領域１０ｅを構成するフィン１０ａと対向しない。そのため、通風孔１ｃ３を通過する吸込空気２７ａは、熱交換器１０の側面領域１０ｅを構成するフィン１０ａ同士の間を通過せずに送風機室３１内に流入する。
【００４９】
通風孔１ｃ３が形成された室外機１００は、熱交換器１０を通過しない吸込空気２７ａの量が、通風孔１ｃ１又は通風孔１ｃ２が形成された室外機１００よりも多い。そのため、通風孔１ｃ３を通過する吸込空気２７ａの量は、通風孔１ｃ１又は通風孔１ｃ２を通過する吸込空気２７ａの量よりも多くなる。その結果、通風孔１ｃ３が形成された室外機１００であっても、側縁部１２ａと側面領域１０ｅとの間に吸込空気２７ｂが流れにくく、空気による騒音が発生しにくいことが考えられる。
【００５０】
通風孔１ｃ３の形成位置では、吸込空気２７ａの流入する方向に空気の流れの抵抗体となる熱交換器１０の側面領域１０ｅが存在していないため、通風孔１ｃ１及び通風孔１ｃ２が形成された室外機１００よりも、筐体５０内に吸込空気２７ａが入りやすい。しかし、通風孔１ｃ３の形成位置では、通風孔１ｃ３を通過する吸込空気２７ａは、熱交換器１０を通過しないため、熱交換器１０の熱交換の能力が低下する。そのため、熱交換器１０の熱交換能力の観点から、室外機１００の通風孔１ｃの形成位置は、通風孔１ｃ３の形成位置よりも、通風孔１ｃ１又は通風孔１ｃ２の形成位置の方が望ましい。
【００５１】
［室外機１００の作用効果］
室外機１００は、通風孔１ｃを通って流入する吸込空気２７ａが、複数のフィン１０ａ同士の間の空間に沿ってまっすぐに流れる。そのため、吸込口である側面開口部１ａから筐体５０内に流入する吸込空気２７ａは、通風孔１ｃと比較して通風抵抗の高い吸込口の側縁部１２ａとフィン１０ａとの間に流入しにくい。その結果、吸込空気２７ｂは、筐体５０と熱交換器１０との隙間をフィン１０ａの並び方向に沿って流れることが抑制され、空気の流れの乱れ、あるいは、空気の渦の発生が抑制される。そのため、室外機１００は、側面開口部１ａから筐体５０内に流入する空気による騒音を発生させない。さらに、吸込空気２７ａが、側縁部１２ａとフィン１０ａとの間に流入したとしても、フィン１０ａが並ぶ方向に沿って流れる吸込空気２７ｂは、通風孔１ｃを通過してまっすぐに流れる吸込空気２７ａによって、流れが遮断される。その結果、吸込空気２７ｂは、筐体５０と熱交換器１０との隙間をフィン１０ａの並び方向に沿って流れることが抑制され、空気の流れの乱れ、あるいは、空気の渦の発生が抑制される。そのため、室外機１００は、側面開口部１ａから筐体５０内に流入する空気による騒音を発生させない。また、仮に側縁部１２ａを通過した吸込空気２７ｂが、空気の渦を発生させたとしても、通風孔１ｃを通過してまっすぐに流れる吸込空気２７ａによって、発生した渦が打ち消される。そのため、室外機１００は、側面開口部１ａから筐体５０内に流入する空気による騒音を発生させない。また、室外機１００は、吸込空気２７ａが、側面領域１０ｅを構成するフィン１０ａ同士の間の空間に沿ってまっすぐに流れるため、熱交換器１０を通過し易くなる。そのため、室外機１００は、熱交換器１０の端部１０ｔにおける熱交換能力を比較例である室外機２００よりも向上させることができる。
【００５２】
また、通風孔１ｃ２は、形成された孔の少なくとも一部が重なり領域部１ｂに位置している。あるいは、側面部１２に対して垂直方向に見た場合に、通風孔１ｃ２内には、最端フィン１０ａ２が配置されている。そのため、通風孔１ｃ２を通過する吸込空気２７ａは、一部が熱交換器１０の端フィン部１０ａ１を通過し、一部が熱交換器１０のフィン１０ａ同士の間を通過せずに送風機室３１内に流入する。その結果、通風孔１ｃ２は、空気によって発生する騒音を抑制することができると共に、熱交換器１０の端部１０ｔにおける熱交換能力を比較例である室外機２００よりも向上させることができる。
【００５３】
また、側面部１２に対して垂直方向に見た場合に、通風孔１ｃ１内には、複数のフィン１０ａのみが配置されている。そのため、通風孔１ｃ１を通過する吸込空気２７ａは、比較例である室外機２００では吸込空気２７ａが流れにくい熱交換器１０の端部１０ｔにおいて、フィン１０ａ同士の間を吸込空気２７ａが通過し易くなる。その結果、通風孔１ｃ１が形成された室外機１００は、空気によって発生する騒音を抑制することができると共に、熱交換器１０の端部１０ｔにおける熱交換能力を比較例である室外機２００よりも向上させることができる。
【００５４】
また、通風孔１ｃが形成された側面部１２は、仕切板１７とは反対側の、送風機室３１の側面側の壁部を構成している。そのため、室外機１００は、Ｌ字状の熱交換器１０の端部１０ｔにおいて、通風孔１ｃから流入した吸込空気２７ａをフィン１０ａ同士の間をまっすぐに通過させることができる。その結果、室外機１００は、Ｌ字状の熱交換器１０を使用することでＩ字状の熱交換器１０Ａよりも熱変換量を大きくすることができると共に、空気によって発生する騒音を抑制することができる。
【００５５】
また、吸込口である側面開口部１ａは、側面部１２において、上下方向に複数形成されている。そして、通風孔１ｃは、複数の側面開口部１ａの側縁部１２ａに沿って少なくとも１つ以上形成されている。そのため、室外機１００は、Ｌ字状の熱交換器１０の端部１０ｔにおいて、通風孔１ｃから流入した吸込空気２７ａをフィン１０ａ同士の間をまっすぐに通過させることができる。その結果、室外機１００は、Ｌ字状の熱交換器１０を使用することでＩ字状の熱交換器１０Ａよりも熱変換量を大きくすることができると共に、空気によって発生する騒音を抑制することができる。
【００５６】
また、通風孔１ｃは、丸形状、角丸長方形、あるいは、長丸形状に形成されている。そのため、室外機１００は、通風孔１ｃの側縁部１２ａにおいて局部的に大きな応力が生じにくく、筐体５０の強度を確保できる。
【００５７】
実施の形態２．
［室外機３００の構成］
図１２は、本発明の実施の形態２に係る室外機３００の背面側斜視図である。図１３は、本発明の実施の形態２に係る室外機３００の天面パネル３を取り外した上面図である。なお、図１〜図９の室外機１００と同一の構成を有する部位には同一の符号を付してその説明を省略する。本発明の実施の形態２に係る室外機３００は、実施の形態１に係る室外機１００における外郭パネル１と熱交換器１０の構成が異なるものである。なお、室外機３００について説明する室外機３００の向きは、室外機１００の説明と同じであり、室外機３００に対するＸ軸、Ｙ軸、Ｚ軸も室外機１００の説明と同じである。以下の室外機３００の説明では、室外機１００との相違点を中心に説明する。
【００５８】
（室外機３００の外郭）
室外機３００は、図１２及び図１３に示すように、略直方体状に構成された筐体５０を有する。室外機３００の筐体５０は、板金製であり、室外機３００の外郭を構成する。室外機３００の筐体５０は、外郭パネル１Ａと、側面パネル２と、天面パネル３と、ベース４とを有する。外郭パネル１Ａ及び側面パネル２の上部にはフランジが設けられており、このフランジに天面パネル３が取り付けられる。同様に、ベース４にもフランジが設けられており、このフランジに外郭パネル１Ａ及び側面パネル２がボルト等により固定され、外郭パネル１Ａ及び側面パネル２は、ベース４上に組み付けられる。
【００５９】
外郭パネル１Ａは、板金パネルである。外郭パネル１Ａは、正面部１１と側面部１２Ａと背面部１３Ａとが一体に形成された形状を有している。外郭パネル１Ａは、横長の正面部１１と、縦長の側面部１２Ａとによって、室外機３００の上方、すなわち天面パネル３の配置側から見てＬ字形状となるように折り曲げられて形成されている。なお、外郭パネル１Ａは、正面部１１と側面部１２Ａとが一体に形成されているが、外郭パネル１Ａは当該構成に限定されるものではなく、外郭パネル１Ａは、正面部１１と側面部１２Ａとを別体として、複数の板金パネルで構成してもよい。
【００６０】
側面部１２Ａは、筐体５０の前後方向（Ｙ軸方向）に延びる側壁を構成する。実施の形態１に係る室外機１００には、側面開口部１ａ及び通風孔１ｃが形成されていたが、本発明の実施の形態２に係る室外機３００には、側面開口部１ａ及び通風孔１ｃが形成されていない。側面部１２Ａに側面開口部１ａ及び通風孔１ｃが形成されていない理由は、室外機３００に搭載される熱交換器１０Ａが、上面視でＩ字状の形態であり側面領域１０ｅを有しておらず、側面開口部１ａから流入する空気を利用した熱交換の必要がないためである。なお、図１２では、側面部１２Ａは平板状に形成されているように記載されているが、筐体５０の強度の確保、作業者による筐体５０の持ちやすさ、筐体５０内を流れる空気の整流等、種々の理由により側面部１２Ａに凹凸が形成されていてもよい。
【００６１】
背面部１３Ａは、筐体５０の背面側の一部を構成し、熱交換器１０Ａの背面側の一部覆う。背面部１３Ａは、筐体５０の前後方向（Ｙ軸方向）において、正面部１１の一部と対向する位置に配置される。外郭パネル１Ａは、正面部１１と側面部１２Ａと背面部１３Ａとが一体に形成された形状を有している。外郭パネル１は、側面部１２Ａと背面部１３Ａとによって、室外機３００の上方、すなわち天面パネル３の配置側から見てＬ字形状となるように折り曲げられて形成されている。そして、背面部１３Ａは、側面部１２Ａから熱交換器１０Ａの背面側の一部を覆う位置まで延びるように形成されている。なお、外郭パネル１Ａは、側面部１２Ａと背面部１３Ａとが折り曲げられて一体に形成されているが、外郭パネル１Ａは、当該構成に限定されるものではなく、側面部１２Ａと背面部１３Ａとを別体として、複数の板金パネルで構成してもよい。
【００６２】
背面部１３Ａが、筐体５０の背面側の一部を構成し、熱交換器１０Ａの一部を覆うことで、筐体５０の背面側には熱交換器１０Ａを露出するための背面開口部７が形成されている。より詳細には、背面開口部７は、背面部１３Ａ、天面パネル３、側面パネル２及びベース４のそれぞれの縁部によって形成されている。背面部１３Ａには、通風孔１３ｃが形成されている。通風孔１３ｃが形成された背面部１３Ａは、筐体５０において、吹出口８が形成された前面側の壁部である正面部１１と対向し、送風機室３１の背面側の壁部を構成している。なお、背面部１３Ａ及び通風孔１３ｃの詳細については後述する。
【００６３】
（室外機３００の内部構成）
室外機３００は、筐体５０の内部に、仕切板１７と、熱交換器１０Ａと、送風機５と、モータ支持部材１４と、圧縮機１５と、を有する。
【００６４】
図１４は、本発明の実施の形態２に係る室外機３００の熱交換器１０Ａの斜視図である。図１３及び図１４を参照して熱交換器１０Ａについて説明する。熱交換器１０Ａは、内部を流れる冷媒と外気との熱交換を行うものであって、暖房運転時には蒸発器として機能し、冷房運転時には凝縮器として機能する。熱交換器１０Ａは、ベース４に対して垂直方向に見た上面視において、Ｉ字形状に形成されている。すなわち、熱交換器１０Ａは、Ｌ字状に構成された熱交換器１０に示す背面領域１０ｆのみで形成されている。熱交換器１０Ａは、図１３に示すように、室外機３００の内部において背面開口部７に面して配置されており、フィン１０ａが背面開口部７を介して外部に露出している。
【００６５】
熱交換器１０Ａは、互いに間隔を空けて配置された短冊状の複数のフィン１０ａが背面開口部７と直角をなして水平方向に並列して配置されている。複数のフィン１０ａが並ぶ方向において、熱交換器１０Ａの最も機械室３２側に位置する端部には留め板１０ｂが配置されている。留め板１０ｂは、熱交換器１０Ａを室外機３００の内部に取り付ける際に、ボルトによって仕切板１７及び側面パネル２に固定されて取り付けられる。また、複数のフィン１０ａは、仕切板１７とは反対側の端部に位置する端フィン部１０ａ１を有する。端フィン部１０ａ１は、仕切板１７とは反対側の端部に配置された複数のフィン１０ａから構成されている。また、端フィン部１０ａ１は、仕切板１７とは反対側の最端部に配置された最端フィン１０ａ２を有する。
【００６６】
空気調和機の設置に関し、空気調和機が設置される室の大きさ等により、Ｌ字状の熱交換器１０の熱変換量が必要でないとき、フィン１０ａの搭載枚数を少なくしたＩ字状の熱交換器１０Ａを使用するときがある。Ｉ字状の熱交換器１０Ａは、Ｌ字状の熱交換器１０よりもフィン１０ａの搭載枚数が少なくなるので、Ｌ字状の熱交換器１０と比較して部材コストが抑えられる利点がある。
【００６７】
（背面部１３Ａ及び通風孔１３ｃの詳細な構成）
図１５は、比較例に係る室外機４００に配置された熱交換器１０Ａの端部を示す上面概念図である。図１６は、本発明の実施の形態２に係る室外機３００に配置された熱交換器１０Ａの端部を示す上面概念図である。図１５及び図１６は、図１３のＢ部の位置の拡大図である。図１５及び図１６を参照して、比較例の室外機４００と、本発明の実施の形態２に係る室外機３００との構成の共通点と相違点とについて説明する。なお、熱交換器１０Ａの端部１０ｔは、フィン１０ａが並ぶ方向において、機械室３２とは反対側の端部である。すなわち、熱交換器１０Ａの端部１０ｔは、機械室３２側の端部の配置と比較して側面部１２Ａに近い位置に配置されている。
【００６８】
まず、室外機３００及び室外機４００の構成の共通点について説明する。熱交換器１０Ａは、室外機３００及び室外機４００を組立するときの部品の干渉等の組立上の都合から背面部１３Ａ等の外郭部品との間に隙間を設けて配置されている。そして、図１５及び図１６に示すように、背面開口部７を形成する背面部１３の側縁部１３ａは、熱交換器１０Ａの複数のフィン１０ａ側に対して折り曲げられており、背面部１３Ａと熱交換器１０Ａとの隙間が狭くなっている。具体的には、背面部１３Ａと熱交換器１０Ａとの隙間は間隔Ｄ２だけ離れて配置されているに対し、側縁部１３ａと熱交換器１０Ａとの間隔Ｄ２０は間隔Ｄ２よりも狭くなっている（Ｄ２＞Ｄ２０）。この側縁部１３ａの間隔Ｄ２０は、例えば５〜１０ｍｍになるように背面部１３Ａの縁部を折り曲げて形成されている。
【００６９】
このように、室外機３００及び室外機４００は、側縁部１３ａと熱交換器１０Ａとの隙間が狭くなるように、背面開口部７を形成する背面部１３Ａの側縁部１３ａが熱交換器１０Ａ側に折り曲げられている。そのため、室外機３００及び室外機４００は、側縁部１３ａと熱交換器１０Ａとの隙間に指が入るのを防止することができ、安全性を確保することができる。さらに、室外機３００及び室外機４００は、側縁部１３ａが内側に折り曲げられて外側に出ないように形成されているため、側縁部１３ａにバリ等が発生していても樹脂等で被覆する必要がなく安全性を確保することができる。なお、側縁部１３ａは、一重に折り返されている場合について例示しているが、２重に折り返されたものでもよいし、折り返し部分が背面部１３Ａに接触せず湾曲したＵ字状に形成されたものでもよい。また、側縁部１３ａは、折り曲げられた形状に限定されるものではなく、折り曲げられていない形状でもよい。この場合、側縁部１３ａの折り曲げ部分がないため背面部１３Ａとフィン１０ａとの間の距離は、例えば、上記安全性を考慮して、側縁部１３ａが折り曲げられた場合と比較して小さくなる。
【００７０】
次に、室外機３００及び室外機４００の構成の相違点について説明する。室外機３００は、背面部１３Ａにおいて、背面開口部７と側面部１２Ａとの間に通風孔１３ｃが形成されている点で、室外機４００と異なる。室外機３００は、筐体５０を構成する背面部１３Ａにおいて、端フィン部１０ａ１と対向する位置に、通風孔１３ｃが形成されている。通風孔１３ｃは、図１２に示すように、背面開口部７を形成する側縁部１３ａに沿って、背面部１３Ａに少なくとも１つ以上形成されている。
【００７１】
通風孔１３ｃは、図１６に示すように、側縁部１３ａと側面部１２Ａとの間に形成されている。また、通風孔１３ｃは、背面部１３Ａに対する垂直方向において、背面部１３Ａと熱交換器１０Ａの背面領域１０ｆとが重なる背面部１３Ａの重なり領域部１３ｂに形成されている。より詳細には、背面部１３Ａは、背面部１３Ａに対して垂直方向に見た場合に、側縁部１３ａと最端フィン１０ａ２との間の壁部を構成する重なり領域部１３ｂを有する。そして、通風孔１３ｃは、形成された孔の少なくとも一部が重なり領域部１３ｂに位置している。重なり領域部１３ｂは、背面部１３Ａにおいて、熱交換器１０の背面領域１０ｆを構成する端フィン部１０ａ１と対向する部分である。通風孔１３ｃは、全てが重なり領域部１３ｂに形成されてもよいが、一部が重なり領域部１３ｂに形成されていることが望ましい。換言すると、通風孔１３ｃは、背面領域１０ｆに対する垂直方向に見た場合に、通風孔１３ｃ内に、最も外側に配置されるフィン１０ａが配置されるように形成されていることが望ましい。
【００７２】
図１７は、本発明の実施の形態２に係る室外機３００の通風孔１３ｃの形状を示す背面斜視図である。図１８は、本発明の実施の形態２に係る室外機３００の通風孔１３ｃの変形例１を示す背面斜視図である。図１９は、本発明の実施の形態２に係る室外機３００の通風孔１３ｃの変形例２を示す背面斜視図である。図１７、図１８及び図１９は、図１２のＣ部の位置の拡大図である。通風孔１３ｃは、背面部１３Ａに形成された貫通孔である。通風孔１３ｃの孔形状は、図１７に示すように、丸形状に形成されている。しかし、通風孔１３ｃは、貫通孔であればよく、通風孔１３ｃの孔形状は、例えば、図１８に示すように角丸長方形、図１９に示すように長丸形状、その他、真円形、卵形、長円形、矩形状、多角形状等、他の形状であってもよい。背面部１３Ａに形成される通風孔１３ｃは、１つでもよく、複数でもよい。なお、通風孔１３ｃの径の大きさ及び孔の面積、あるいは、通風孔１３ｃの孔の数は、背面部１３Ａとフィン１０ａとの間の距離との関係で決定されるものであり、設計事項である。通風孔１３ｃは、筐体５０に形成された空気の吸込口であり、送風機５の作動によって、筐体５０の外部から内部に空気が流入する。
【００７３】
［室外機３００の動作］
まず、本発明の実施の形態２に係る室外機３００と比較例に係る室外機４００との共通する動作について説明する。室外機３００及び室外機４００の駆動状態では、熱交換器１０Ａ内を流れる冷媒と室外空気との間の熱交換の効率を高めるために、送風機５が駆動している。送風機５は、熱交換器１０Ａとプロペラファン５ｂとの間を負圧にして、筐体５０の背面側（Ｙ２側）から筐体５０の内部に外気２７を導入する。そして、送風機５は、筐体５０の内部に導入されて熱交換が行われた空気を、吹出空気２８として筐体５０の前面側（Ｙ１側）に形成された吹出口８から筐体５０外に向かって排出させる。この際、室外機３００及び室外機４００は、背面開口部７を介して筐体５０内に向かって吸込空気２７ａが流入する。そして、筐体５０内に流入した吸込空気２７ａは、熱交換器１０のフィン１０ａの間を流れることで、伝熱管１０ｃの内部を流れる冷媒との間において熱交換が行われる。
【００７４】
次に、比較例に係る室外機４００の動作について説明する。背面開口部７によって構成される吸込口から流入した外気２７の内、一部の吸込空気２７ｂが、フィン１０ａ同士の間を通過せずに、側縁部１３ａと熱交換器１０の背面領域１０ｆとの間に流入する。そして、側縁部１３ａと背面領域１０ｆとの間に流入した吸込空気２７ｂは、フィン１０ａが並ぶ方向に沿って、背面部１３Ａと背面領域１０ｆとの間を通る。この際、吸込空気２７ｂは、フィン１０ａの並び方向に空気が流れることでフィン１０ａの端部によって空気の流れに乱れが生じ、あるいは、空気の渦を生じさせて、ピィーという高い音の騒音を発生させる。
【００７５】
また、室外機４００は、重なり領域部１３ｂと対向する位置に配置されている端フィン部１０ａ１において、フィン１０ａの並び方向に吸込空気２７ｂが流れ、吸込空気２７ｂは最端フィン１０ａ２の外側を回り込む。そのため、フィン１０ａ同士の間に吸込空気２７ａが流れにくく、室外機４００は、熱交換器１０Ａの端部１０ｔでは、熱交換能力が発揮されにくい恐れがある。
【００７６】
これに対し、本発明の実施の形態２に係る室外機３００は、背面部１３Ａの重なり領域部１３ｂに通風孔１３ｃを形成したことにより通風孔１３ｃからも筐体５０内に吸込空気２７ａが流入する。上述したように、背面部１３Ａに通風孔１３ｃが形成されていない場合には、側縁部１３ａと背面領域１０ｆとの間に流入した吸込空気２７ｂが、背面部１３Ａと背面領域１０ｆとの間を通り、騒音を発生させる。室外機３００は、背面部１３Ａに通風孔１３ｃを形成したことにより、フィン１０ａが並ぶ方向に対して垂直方向に吸込空気２７ａが流れる。したがって、吸込空気２７ａは、背面領域１０ｆを構成するフィン１０ａ同士の間の空間に沿ってまっすぐに流れるため、通風抵抗が少なく、熱交換器１０Ａを通過し易くなる。そのため、室外機３００において、通風孔１３ｃを通過する吸込空気２７ａは、空気の乱れ、あるいは、空気の渦ができにくく空気による騒音を発生させない。
【００７７】
そして、吸込空気２７ａは、背面領域１０ｆを構成するフィン１０ａ同士の間の空間に沿って通風抵抗が少なくまっすぐに流れるため、外気２７は、通風抵抗の高い側縁部１３ａと背面領域１０ｆとの間に流入しにくい。そのため、室外機３００は、側縁部１３ａと背面領域１０ｆとの間に吸込空気２７ｂが流れにくく、空気による騒音が発生しない。さらに、例え外気２７が、側縁部１３ａと背面領域１０ｆとの間に流入したとしてもフィン１０ａが並ぶ方向に沿って流れる吸込空気２７ｂは、通風抵抗が少なくまっすぐに流れる吸込空気２７ａによって、フィン１０ａが並ぶ方向に沿う流れが遮断される。そのため、室外機３００は、側縁部１３ａと背面領域１０ｆとの間に吸込空気２７ｂが流れにくく、空気による騒音が発生しない。また、仮に側縁部１３ａを通過した吸込空気２７ｂが、空気の渦を発生させたとしても、通風孔１３ｃを通過してまっすぐに流れる吸込空気２７ａによって、発生した渦が打ち消される。
【００７８】
また、上述した室外機４００において、側縁部１３ａと背面領域１０ｆとの間に流入した吸込空気２７ｂは、フィン１０ａが並ぶ方向に沿って、背面部１３Ａと背面領域１０ｆとの間を通るため、熱交換器１０Ａのフィン１０ａの間を通過しにくい。しかし、室外機３００は、吸込空気２７ａが、背面領域１０ｆを構成するフィン１０ａ同士の間の空間に沿ってまっすぐに流れるため、通風抵抗が少なく、熱交換器１０Ａを通過し易くなる。そのため、室外機３００は、熱交換器１０Ａの端部１０ｔにおける熱交換能力を比較例である室外機４００よりも向上させることができる。
【００７９】
図２０は、図１６の通風孔１３ｃの形成位置について説明する熱交換器１０Ａの端部１０ｔを示す上面概念図である。図２１は、図２０の通風孔１３ｃ１の概念図である。図２２は、図２０の他の通風孔１３ｃ２の概念図である。図２０〜図２２を参照して、背面部１３Ａにおける通風孔１３ｃの望ましい形成位置について説明する。背面部１３Ａにおける通風孔１３ｃの形成位置は、通風孔１３ｃ１、通風孔１３ｃ２及び通風孔１３ｃ３の３態様が考えられる。
【００８０】
通風孔１３ｃ１は、全てが重なり領域部１３ｂに形成されている貫通孔である。したがって、通風孔１３ｃ１は、孔の内周縁に囲まれた全ての空間が熱交換器１０Ａの背面領域１０ｆと対向する。すなわち、図２１に示すように、背面部１３Ａに対して垂直方向に見た場合に、通風孔１３ｃ１内には、複数のフィン１０ａのみが配置されている。そのため、通風孔１３ｃ１を通過する吸込空気２７ａは、熱交換器１０の背面領域１０ｆを通過する。その結果、通風孔１３ｃ１が形成された室外機３００は、空気によって発生する騒音を抑制することができると共に、熱交換器１０Ａの端部１０ｔにおける熱交換能力を比較例である室外機４００よりも向上させることができる。
【００８１】
また、通風孔１３ｃ１が形成された室外機３００は、熱交換器１０Ａを通過する吸込空気２７ａの量が、通風孔１３ｃ２が形成された室外機３００よりも多い。そのため、通風孔１３ｃ１が形成された室外機３００は、通風孔１３ｃ２が形成された室外機３００よりも熱交換器１０Ａの端部１０ｔにおける熱交換能力が向上する。
【００８２】
通風孔１３ｃ２は、少なくとも一部が重なり領域部１３ｂに形成されている貫通孔である。したがって、通風孔１３ｃ２は、孔の内周縁に囲まれた空間の一部が熱交換器１０Ａの背面領域１０ｆと対向する。すなわち、図２２に示すように、背面部１３Ａに対して垂直方向に見た場合に、通風孔１３ｃ２内には、最端フィン１０ａ２が配置されている。そのため、通風孔１３ｃ２を通過する吸込空気２７ａは、一部が熱交換器１０Ａの背面領域１０ｆを通過し、一部が熱交換器１０Ａの背面領域１０ｆを通過せずに送風機室３１内に流入する。その結果、通風孔１３ｃ２は、空気によって発生する騒音を抑制することができると共に、熱交換器１０Ａの端部１０ｔにおける熱交換能力を比較例である室外機４００よりも向上させることができる。
【００８３】
また、通風孔１３ｃ２が形成された室外機３００は、熱交換器１０Ａを通過しない吸込空気２７ａの量が、通風孔１３ｃ１が形成された室外機３００よりも多い。そのため、通風孔１３ｃ２を通過する吸込空気２７ａの量は、通風孔１３ｃ１を通過する吸込空気２７ａの量よりも多くなる。そのため、通風孔１３ｃ２が形成された室外機３００は、通風孔１３ｃ１が形成された室外機３００よりも側縁部１３ａと背面領域１０ｆとの間に吸込空気２７ｂが流れにくく、空気による騒音が更に発生しにくい。なお、通風孔１３ｃ２において、重なり領域部１ｂと重なり領域部１ｂ以外の部分とにおける孔の面積の配分は、背面部１３Ａとフィン１０ａの間に形成される隙間との関係で決定されるものであり、設計事項である。
【００８４】
通風孔１３ｃ３は、室外機３００の左右方向（Ｘ軸方向）における側縁部１３ａと背面部１３Ａとの間において、重なり領域部１３ｂ以外の領域に形成されている。したがって、通風孔１３ｃ３は、孔の内周縁に囲まれた全ての空間が熱交換器１０Ａの背面領域１０ｆを構成するフィン１０ａと対向しない。そのため、通風孔１３ｃ３を通過する吸込空気２７ａは、熱交換器１０の背面領域１０ｆを構成するフィン１０ａ同士の間を通過せずに送風機室３１内に流入する。
【００８５】
通風孔１３ｃ３が形成された室外機３００は、熱交換器１０Ａを通過しない吸込空気２７ａの量が、通風孔１３ｃ１又は通風孔１３ｃ２が形成された室外機３００よりも多い。そのため、通風孔１３ｃ２を通過する吸込空気２７ａの量は、通風孔１３ｃ１又は通風孔１３ｃ２を通過する吸込空気２７ａの量よりも多くなる。その結果、通風孔１３ｃ３が形成された室外機３００であっても、側縁部１３ａと背面領域１０ｆとの間に吸込空気２７ｂが流れにくく、空気による騒音が発生しにくいことが考えられる。
【００８６】
通風孔１３ｃ３の形成位置では、吸込空気２７ａの流入する方向に空気の流れの抵抗体となる熱交換器１０Ａの背面領域１０ｆが存在していないため、通風孔１３ｃ１及び通風孔１３ｃ２が形成された室外機３００よりも、筐体５０内に吸込空気２７ａが入りやすい。しかし、通風孔１３ｃ３の形成位置では、通風孔１３ｃ３を通過する吸込空気２７ａは、熱交換器１０Ａを通過しないため、熱交換器１０Ａの熱交換の能力が低下する。そのため、熱交換器１０Ａの熱交換能力の観点から、室外機３００の通風孔１３ｃの形成位置は、通風孔１３ｃ３の形成位置よりも、通風孔１３ｃ１又は通風孔１３ｃ２の形成位置の方が望ましい。
【００８７】
［室外機３００の作用効果］
室外機３００は、通風孔１３ｃを通って流入する吸込空気２７ａが、複数のフィン１０ａ同士の間の空間に沿ってまっすぐに流れる。そのため、吸込口である背面開口部７から筐体５０内に流入する吸込空気２７ａは、通風孔１３ｃと比較して通風抵抗の高い吸込口の側縁部１３ａとフィン１０ａとの間に流入しにくい。その結果、吸込空気２７ｂは、筐体５０と熱交換器１０Ａとの隙間をフィン１０ａの並び方向に沿って流れることが抑制され、空気の流れの乱れ、あるいは、空気の渦の発生が抑制される。そのため、室外機３００は、背面開口部７から筐体５０内に流入する空気による騒音を発生させない。さらに、吸込空気２７ａが、側縁部１３ａとフィン１０ａとの間に流入したとしても、フィン１０ａが並ぶ方向に沿って流れる吸込空気２７ｂは、通風孔１３ｃを通過してまっすぐに流れる吸込空気２７ａによって、流れが遮断される。その結果、吸込空気２７ｂは、筐体５０と熱交換器１０Ａとの隙間をフィン１０ａの並び方向に沿って流れることが抑制され、空気の流れの乱れ、あるいは、空気の渦の発生が抑制される。そのため、室外機３００は、背面開口部７から筐体５０内に流入する空気による騒音を発生させない。また、仮に側縁部１３ａを通過した吸込空気２７ｂが、空気の渦を発生させたとしても、通風孔１３ｃを通過してまっすぐに流れる吸込空気２７ａによって、発生した渦が打ち消される。そのため、室外機３００は、背面開口部７から筐体５０内に流入する空気による騒音を発生させない。また、室外機３００は、吸込空気２７ａが、背面領域１０ｆを構成するフィン１０ａ同士の間の空間に沿ってまっすぐに流れるため、通風抵抗が少なく、熱交換器１０を通過し易くなる。そのため、室外機３００は、熱交換器１０の端部１０ｔにおける熱交換能力を比較例である室外機４００よりも向上させることができる。
【００８８】
また、通風孔１３ｃ２は、形成された孔の少なくとも一部が重なり領域部１３ｂに位置している。あるいは、背面部１３Ａに対して垂直方向に見た場合に、通風孔１３ｃ２内には、最端フィン１０ａ２が配置されている。そのため、通風孔１３ｃ２を通過する吸込空気２７ａは、一部が熱交換器１０の端フィン部１０ａ１を通過し、一部が熱交換器１０のフィン１０ａ同士の間を通過せずに送風機室３１内に流入する。その結果、通風孔１３ｃ２は、空気によって発生する騒音を抑制することができると共に、熱交換器１０Ａの端部１０ｔにおける熱交換能力を比較例である室外機２００よりも向上させることができる。
【００８９】
また、背面部１３Ａに対して垂直方向に見た場合に、通風孔１３ｃ１内には、複数のフィン１０ａのみが配置されている。そのため、通風孔１３ｃ１を通過する吸込空気２７ａは、比較例である室外機４００では吸込空気２７ａが流れにくい熱交換器１０Ａの端部１０ｔにおいて、フィン１０ａ同士の間を吸込空気２７ａが通過し易くなる。その結果、通風孔１３ｃ１が形成された室外機３００は、空気によって発生する騒音を抑制することができると共に、熱交換器１０Ａの端部１０ｔにおける熱交換能力を比較例である室外機４００よりも向上させることができる。
【００９０】
また、通風孔１３ｃが形成された背面部１３Ａは、熱交換した空気が吹き出される吹出口８が形成された前面側の壁部と対向し、送風機室３１の背面側の壁部を構成している。そのため、室外機３００は、Ｉ字状の熱交換器１０Ａの端部１０ｔにおいて、通風孔１３ｃから流入した吸込空気２７ａをフィン１０ａ同士の間をまっすぐに通過させることができる。室外機３００は、Ｉ字状の熱交換器１０Ａを使用することでＬ字状の熱交換器１０よりもフィン１０ａの搭載枚数が少なくできるため、Ｌ字状の熱交換器１０と比較して部材コストが抑えることができる。また、室外機３００は、部材コストを抑えることができると共に、通風孔１３ｃが形成されていることで、空気によって発生する騒音を抑制することができる。
【００９１】
また、側縁部１３ａは、複数のフィン１０ａ側に折り曲げられている。そのため、室外機３００は、筐体５０と熱交換器１０Ａとの間が狭まり、側縁部１２ａと熱交換器１０との隙間に指等が入るのを防止することができ、作業者の安全性を確保することができる。
【００９２】
また、通風孔１３ｃは、丸形状、角丸長方形、あるいは、長丸形状に形成されている。そのため、室外機３００は、通風孔１３ｃの側縁部１３ａにおいて局部的に大きな応力が生じにくく、筐体５０の強度を確保できる。
【００９３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００９４】
１  外郭パネル、１Ａ  外郭パネル、１ａ  側面開口部、１ｂ  領域部、１ｃ  通風孔、１ｃ１  通風孔、１ｃ２  通風孔、１ｃ３  通風孔、２  側面パネル、２ａ  第２側面部、２ｂ  第２背面部、３  天面パネル、４  ベース、４ａ  脚部、５  送風機、５ａ  モータ、５ｂ  プロペラファン、６  ファンガード、７  背面開口部、８  吹出口、１０  熱交換器、１０Ａ  熱交換器、１０ａ  フィン、１０ａ１  端フィン部、１０ａ２  最端フィン、１０ｂ  留め板、１０ｃ  伝熱管、１０ｅ  側面領域、１０ｆ  背面領域、１０ｇ  曲面領域、１０ｔ  端部、１１  正面部、１２  側面部、１２Ａ  側面部、１２ａ  側縁部、１３  背面部、１３Ａ  背面部、１３ａ  側縁部、１３ｂ  領域部、１３ｃ  通風孔、１３ｃ１  通風孔、１３ｃ２  通風孔、１３ｃ３  通風孔、１４  モータ支持部材、１５  圧縮機、１６  冷媒配管、１７  仕切板、２７  外気、２７ａ  吸込空気、２７ｂ  吸込空気、２８  吹出空気、３１  送風機室、３２  機械室、５０  筐体、１００  室外機、２００  室外機、３００  室外機、４００  室外機。
【図１】
2020157824.tif 000003
【図２】
2020157824.tif 000004
【図３】
2020157824.tif 000005
【図４】
2020157824.tif 000006
【図５】
2020157824.tif 000007
【図６】
2020157824.tif 000008
【図７】
2020157824.tif 000009
【図８】
2020157824.tif 000010
【図９】
2020157824.tif 000011
【図１０】
2020157824.tif 000012
【図１１】
2020157824.tif 000013
【図１２】
2020157824.tif 000014
【図１３】
2020157824.tif 000015
【図１４】
2020157824.tif 000016
【図１５】
2020157824.tif 000017
【図１６】
2020157824.tif 000018
【図１７】
2020157824.tif 000019
【図１８】
2020157824.tif 000020
【図１９】
2020157824.tif 000021
【図２０】
2020157824.tif 000022
【図２１】
2020157824.tif 000023
【図２２】
2020157824.tif 000024
【手続補正書】
【提出日】令和3年1月7日(2021.1.7)
【手続補正１】
【補正対象書類名】明細書
【補正対象項目名】０００６
【補正方法】変更
【補正の内容】
【０００６】
本発明の空気調和機の室外機は、空気が流入する吸込口が形成された筐体と、筐体の内部に配置され、吸込口を通過する空気の流れを形成する送風機と、互いに間隔を空けて配置された複数のフィンを有し、吸込口から露出するように、筐体と送風機との間に配置された熱交換器と、筐体の内部に設けられ、筐体内の空間を、熱交換器と送風機とを収納する送風機室と、圧縮機を収納する機械室とに隔てる仕切板と、を備え、複数のフィンは、仕切板とは反対側の端部に位置する端フィン部を有し、筐体を構成する側壁部には、端フィン部と対向する位置に、吸込口を形成する側縁部に沿って、少なくとも１つ以上の通風孔が形成されており、熱交換器は、熱交換器及び送風機が配置されるベースに対して垂直方向に見た場合に、Ｉ字形状に形成されており、通風孔が形成された側壁部は、熱交換した空気が吹き出される吹出口が形成された前面側の壁部と対向し、送風機室の背面側の壁部を構成しているものである。
【手続補正２】
【補正対象書類名】特許請求の範囲
【補正対象項目名】全文
【補正方法】変更
【補正の内容】
【特許請求の範囲】
【請求項１】
空気が流入する吸込口が形成された筐体と、
前記筐体の内部に配置され、前記吸込口を通過する空気の流れを形成する送風機と、
互いに間隔を空けて配置された複数のフィンを有し、前記吸込口から露出するように、前記筐体と前記送風機との間に配置された熱交換器と、
前記筐体の内部に設けられ、前記筐体内の空間を、前記熱交換器と前記送風機とを収納する送風機室と、圧縮機を収納する機械室とに隔てる仕切板と、
を備え、
前記複数のフィンは、
前記仕切板とは反対側の端部に位置する端フィン部を有し、
前記筐体を構成する側壁部には、
前記端フィン部と対向する位置に、前記吸込口を形成する側縁部に沿って、少なくとも１つ以上の通風孔が形成されており、
前記熱交換器は、
前記熱交換器及び前記送風機が配置されるベースに対して垂直方向に見た場合に、Ｉ字形状に形成されており、
前記通風孔が形成された前記側壁部は、
熱交換した空気が吹き出される吹出口が形成された前面側の壁部と対向し、前記送風機室の背面側の壁部を構成している空気調和機の室外機。
【請求項２】
前記端フィン部は、
前記仕切板とは反対側の最端部に配置された最端フィンを有し、
前記側壁部は、
前記側壁部に対して垂直方向に見た場合に、前記側縁部と前記最端フィンとの間の壁部を構成する重なり領域部を有し、
前記通風孔は、
形成された孔の少なくとも一部が前記重なり領域部に位置している請求項１に記載の空気調和機の室外機。
【請求項３】
前記側壁部に対して垂直方向に見た場合に、
前記通風孔内には、前記最端フィンが配置されている請求項２に記載の空気調和機の室外機。
【請求項４】
前記側壁部に対して垂直方向に見た場合に、
前記通風孔内には、前記複数のフィンのみが配置されている請求項２に記載の空気調和機の室外機。
【請求項５】
前記側縁部は、
前記複数のフィン側に折り曲げられている請求項１〜４のいずれか１項に記載の空気調和機の室外機。
【請求項６】
前記通風孔は、
丸形状に形成されている請求項１〜５のいずれか１項に記載の空気調和機の室外機。
【請求項７】
前記通風孔は、
角丸長方形に形成されている請求項１〜５のいずれか１項に記載の空気調和機の室外機。
【請求項８】
前記通風孔は、
長丸形状に形成されている請求項１〜５のいずれか１項に記載の空気調和機の室外機。
【国際調査報告】
2020157824.tif 000025
2020157824.tif 000026